(57)【要約】【課題】  十分に静電気の影響を除去することが可能なマイクロホン装置を提供する。【解決手段】  マイクロホン装置の筐体１００には、集音孔１０１が設けてある。そして、この集音孔１０１の中心軸上のマイクロホン装置内部にマイクロホン１０３が固定されている。そして、集音孔１０１とマイクロホン１０３の音声入力面との間には、導電性の材料を用いた導電性ネット１０２が設けられ、集音孔１０１を塞いで筐体１００の内外を遮断している。また導電性ネット１０２は、アースに接地されている。入力音声の空気振動は、導電性ネット１０２を通過してマイクロホン１０３に到達する。一方、集音孔１０１に静電気が帯電した物体が近づくと、この物体から放電された静電気は導電性ネット１０２を通じてアースされるようにしたものである。【選択図】      図１
2005086231.tif 000002
【特許請求の範囲】
【請求項１】
音声を電気信号に変換するマイクロホン装置において、
筐体に設けられた集音孔と、
導電性の材料からなり、前記集音孔を覆う導電性ネットと、
この導電性ネットをアース極に接続する接続手段と、
前記集音孔および前記導電性ネットを介して入力される音声を電気信号に変換するマイクロホンとを具備することを特徴とするマイクロホン装置。
【請求項２】
音声を電気信号に変換するマイクロホン装置において、
筐体に設けられた集音孔と、アース極に接続された導電性の材料からなり、
この集音孔を通じて入力される音声を電気信号に変換するマイクロホンと、
導電性の材料からなり、前記マイクロホンと接触することなく前記集音孔と前記マイクロホンとの間に設けられた導電手段と、
この導電手段をアース極に接続する接続手段とを具備することを特徴とするマイクロホン装置。
【請求項３】
前記導電手段は、前記筐体に固定されることを特徴とする請求項２に記載のマイクロホン装置。
【発明の詳細な説明】
【技術分野】
【０００１】
この発明は、例えばナースコールシステムの子機端末に好適するマイクロホン装置に関する。
【背景技術】
【０００２】
周知のように、従来のマイクロホン装置は、外部からの静電気が印加して雑音が生じたり、電気回路に影響を及ぼすという問題があった。  
これに対して従来は、マイクロホンのアース側電極端子を有する面を、マイクロホン装置の筐体の集音孔に対向するように設けることで、アース側電極端子に静電気が放電されるようにした（例えば、特許文献１参照）。しかしながら、このような手法でも十分に静電気の影響を抑止することができなかった。
【特許文献１】特開平１０−９８７９０公報。
【発明の開示】
【発明が解決しようとする課題】
【０００３】
従来のマイクロホン装置では、十分に静電気の影響を除去することができないという問題があった。  
この発明は上記の問題を解決すべくなされたもので、十分に静電気の影響を除去することが可能なマイクロホン装置を提供することを目的とする。
【課題を解決するための手段】
【０００４】
上記の目的を達成するために、この発明は、音声を電気信号に変換するマイクロホン装置において、筐体に設けられた集音孔と、導電性の材料からなり、集音孔を覆う導電性ネットと、この導電性ネットをアース極に接続する接続手段と、集音孔および導電性ネットを介して入力される音声を電気信号に変換するマイクロホンとを具備して構成するようにした。
【発明の効果】
【０００５】
以上述べたように、この発明では、筐体に設けられた集音孔より筐体内に放電される静電気を導電性ネットを介してアースし、入力音声については導電性ネットを通過してマイクロホンにて電気信号に変換するようにしている。  
したがって、この発明によれば、マイクロホンによる集音性能を損なうことなく、マイクロホンへの静電気放電を防止可能なマイクロホン装置を提供できる。
【発明を実施するための最良の形態】
【０００６】
以下、図面を参照して、この発明の一実施形態について説明する。  
図１は、この発明の第１の実施形態に係わるマイクロホン装置の構成を示すものであって、この図では特にマイクロホンを装置内に収容する部分について示している。
【０００７】
マイクロホン装置の筐体１００には、集音孔１０１が設けてある。そして、この集音孔１０１の中心軸上のマイクロホン装置内部にマイクロホン１０３が固定されている。そして、集音孔１０１とマイクロホン１０３の音声入力面との間には、導電性の材料を用いた導電性ネット１０２が設けられ、集音孔１０１を塞いで筐体１００の内外を遮断している。また導電性ネット１０２は、回路のアース極に接続されている。
【０００８】
このような構成により、上記マイクロホン装置は、入力音声の空気振動は、導電性ネット１０２を通過してマイクロホン１０３に到達し、ここで電気信号に変換される。この電気信号は、図示しない増幅器で増幅された後、外部に音声信号として出力される。一方、集音孔１０１に静電気が帯電した物体が近づくと、この物体から放電された静電気は導電性ネット１０２を通じてアースされる。
【０００９】
以上のように、上記構成のマイクロホン装置では、集音孔１０１を通じて侵入する静電気を導電性ネット１０２を通じてアースし、空気振動については導電性ネット１０２を通過してマイクロホン１０３にて電気信号に変換するようにしている。  
したがって、上記構成のマイクロホン装置によれば、マイクロホン１０３による集音性能を損なうことなく、マイクロホン１０３への静電気放電を防止できる。  
なお、上記実施の形態では、集音孔１０１を導電性ネット１０２によって筐体内部から覆うようにしたが、筐体外部から覆うようにしても同様の効果を期待することができる。
【００１０】
図２は、この発明の第２の実施形態に係わるマイクロホン装置の構成を示すものであって、この図では特にマイクロホンを装置内に収容する部分について示している。  
マイクロホン装置の筐体１００には、集音孔１０１が設けてある。そして、この集音孔１０１の中心軸上のマイクロホン装置内部にマイクロホン１０３が固定されている。そして、集音孔１０１とマイクロホン１０３の音声入力面との間には、筒状の導波管１０４が設けられ、集音孔１０１を通じて到来する入力音声の空気振動をマイクロホン１０３に導く。また、導波管１０４の内側には導電性の材料を用いた導通部１０４ａが設けてあり、回路のアース極に接続されている。筐体１００と導波管１０４、および導波管１０４とマイクロホンの間には、それぞれ間隙が設けてある。
【００１１】
このような構成により、上記マイクロホン装置は、入力音声の空気振動は、導波管１０４内を通過して直接マイクロホン１０３に到達し、ここで電気信号に変換される。この電気信号は、図示しない増幅器で増幅された後、外部に音声信号として出力される。一方、集音孔１０１に静電気が帯電した物体が近づくと、この物体から放電された静電気は導波管１０４の内面に設けられた導通部１０４ａを通じてアースされる。
【００１２】
以上のように、上記構成のマイクロホン装置では、集音孔１０１を通じて侵入する静電気を導波管１０４の内面に設けられた導通部１０４ａを通じてアースするようにしている。  
したがって、上記構成のマイクロホン装置によれば、マイクロホン１０３による集音性能を損なうことなく、マイクロホン１０３への静電気放電を防止できる。
【００１３】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００１４】
その一例として例えば、上記第２の実施形態では、筐体１００と導波管１０４、および導波管１０４とマイクロホンの間に、それぞれ間隙が設けるようにしたが、図３に示すように、筐体１００と導波管１０４とを接触させるようにしてもよい。  
その他、この発明の要旨を逸脱しない範囲で種々の変形を施しても同様に実施可能であることはいうまでもない。
【図面の簡単な説明】
【００１５】
【図１】この発明に係わるマイクロホン装置の第１の実施形態の構成を示す図。
【図２】この発明に係わるマイクロホン装置の第２の実施形態の構成を示す図。
【図３】図２に示したマイクロホン装置の変形例の構成を示す図。
【符号の説明】
【００１６】
１００…筐体、１０１…集音孔、１０２…導電性ネット、１０３…マイクロホン、１０４…導波管、１０４ａ…導通部。
【図１】
2005086231.tif 000003
【図２】
2005086231.tif 000004
【図３】
2005086231.tif 000005